(57)【要約】【課題】梳きバサミを使用しているときに、理髪用ハサミが必要になった場合であっても、梳きバサミから理髪用ハサミに持ち替えることなく、そのまま使用することが可能なハサミを提供する。【解決手段】ハサミ１００の一方の刃部１１１は平刃であり、他方の刃部は、ハサミ１００の先端を含む第一刃部領域１５１と、第一刃部領域１５１以外の第二刃部領域１５２と、からなる。第一刃部領域１５１は櫛歯状に形成されており、第二刃部領域１５２は平刃状に形成されている。【選択図】図１
0003138280.tif 000002
【実用新案登録請求の範囲】
【請求項１】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は平刃であり、
前記一対のハサミ形成部材の他方の刃部は、前記一対のハサミ形成部材の他方の先端を含む第一刃部領域と、前記第一刃部領域以外の第二刃部領域と、からなり、
前記第一刃部領域には、長さ方向に開口部が相互に間隔を開けて形成されることにより、隣接する開口部の間に櫛歯が形成されており、
前記第二刃部領域には平刃が形成されているハサミ。
【考案の詳細な説明】
【技術分野】
【０００１】
本考案はハサミ、特に、理髪用の梳きバサミに関する。
【背景技術】
【０００２】
理髪時には、理髪用ハサミ（刃が２つとも平刃（直刃）のハサミ）を使って髪を切った後、最後の仕上げ時に梳きバサミが用いられる。
【０００３】
一般に、梳きバサミは、一方の刃が平刃（直刃）であり、他方の刃が櫛歯状になっている。
【０００４】
櫛歯状になっている刃は、刃をなす部分と、空洞の部分とが連続して形成されており、空洞の部分によっては、髪は切られることはなく、刃をなす部分によってのみ、髪が切られる。このため、理髪の仕上げ用として梳きバサミを使用することにより、髪を梳くことができる。すなわち、梳きバサミを使用することにより、短く刈った髪が混在するようにすることが可能になる。
【０００５】
梳きバサミの一例が特開２００７−２０９７６号公報に記載されている。
【０００６】
同公報に記載されている梳きバサミにおいては、各歯部片の先端の刃口にその口幅の中央部へ傾斜により低くなる窪み刃（同公報の図２における参照符号２１が「窪み刃」を示す）が形成されている。
【０００７】
このような窪み刃を設けることにより、刃口に髪が掛かりやすくなるため、髪のカット率を安定化させることができる、というものである。
【考案の開示】
【考案が解決しようとする課題】
【０００８】
最後の仕上げ時に梳きバサミを使用する段階においても、理髪用ハサミ（刃が２つとも平刃のハサミ）を使って、少量の髪の毛をカットする必要が生じる場合がある。
【０００９】
そのような場合には、梳きバサミから理髪用ハサミに持ち替えて、髪の毛のカットを行うことになるが、梳きバサミから理髪用ハサミに持ち替える手間及び時間は全く無駄な手間及び時間である。
【００１０】
本考案は、このような従来の梳きバサミにおける問題点に鑑みてなされたものであり、梳きバサミを使用しているときに、理髪用ハサミが必要になった場合であっても、梳きバサミから理髪用ハサミに持ち替えることなく、そのまま使用することが可能なハサミを提供することを目的とする。
【課題を解決するための手段】
【００１１】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【００１２】
上記の目的を達成するため、本考案は、回動中心点を中心として一方の側には刃部（１１１、１２１）が、他方の側には把手部（１１２、１２２）がそれぞれ形成されている一対のハサミ形成部材（１１０、１２０）を前記回動中心点において相互に回動可能に連結することにより形成されたハサミ（１００）であって、前記一対のハサミ形成部材（１１０、１２０）の一方（１１０）の刃部（１１１）は平刃であり、前記一対のハサミ形成部材の他方（１２０）の刃部（１２１）は、前記一対のハサミ形成部材の他方（１２０）の先端を含む第一刃部領域（１５１）と、前記第一刃部領域（１５１）以外の第二刃部領域（１５２）と、からなり、前記第一刃部領域（１５１）には、長さ方向に開口部（１４０）が相互に間隔を開けて形成されることにより、隣接する開口部（１４０）の間に櫛歯（１２５）が形成されており、前記第二刃部領域（１５２）には平刃が形成されているハサミ（１００）を提供する。
【考案の効果】
【００１３】
本考案に係るハサミにおいては、第二のハサミ形成部材（一対のハサミ形成部材の他方）の刃部の第一刃部領域は櫛歯状に形成されているため、第一刃部領域に対応する第一のハサミ形成部材（一対のハサミ形成部材の一方）の刃部（平刃）とともに、梳きバサミとして機能する。すなわち、第二のハサミ形成部材の刃部の第一刃部領域は髪の毛の梳き（セニング）を行う際に使用することができる。
【００１４】
また、第二のハサミ形成部材の刃部の第二刃部領域は、第二刃部領域に対応する第一のハサミ形成部材の刃部（平刃）とともに、理髪用ハサミ（刃が２つとも平刃のハサミ）として機能する。すなわち、第二のハサミ形成部材の刃部の第二刃部領域は髪の毛のカット及びスライス（削ぎ）を行う際に使用することができる。
【００１５】
このように、本考案に係るハサミは、梳きバサミとして使用することができるとともに、理髪用ハサミとして使用することも可能である。
【００１６】
このため、最後の仕上げ時になって、第一刃部領域を用いて、本考案に係るハサミを梳きバサミとして使用していたときに、少量の髪の毛をさらにカットする必要が生じた場合であっても、第二刃部領域を用いることにより、本考案に係るハサミを理髪用ハサミとして用いて、髪の毛をカットすることが可能になる。すなわち、従来のように、梳きバサミから理髪用ハサミに持ち替える必要はなくなり、梳きバサミから理髪用ハサミに持ち替える手間及び時間を省くことができる。
【考案を実施するための最良の形態】
【００１７】
（第一の実施形態）
図１は、本考案の第一の実施形態に係るハサミ１００の平面図である。
【００１８】
本実施形態に係るハサミ１００は一対のハサミ形成部材、すなわち、第一のハサミ形成部材１１０と第二のハサミ形成部材１２０とからなる。
【００１９】
第一のハサミ形成部材１１０及び第二のハサミ形成部材１２０は、例えば、双方とも鋼鉄でつくられている。
【００２０】
第一のハサミ形成部材１１０には回動中心点となる箇所に孔（図１では見えない）が形成されており、この回動中心点となる孔の一方の側（図１の左側）には刃部１１１が、他方の側（図１の右側）には把手部としてのリング１１２が形成されている。
【００２１】
第二のハサミ形成部材１２０には回動中心点となる箇所に孔（図１では見えない）が形成されており、この回動中心点となる孔の一方の側（図１の左側）には刃部１２１が、他方の側には把手部としてのリング１２２が形成されている。
【００２２】
第一のハサミ形成部材１１０及び第二のハサミ形成部材１２０は、それぞれ回動中心点に形成されている孔に回動軸１３０を通すことによって、相互に回動可能に連結されている。
【００２３】
把手部としてのリング１１２、１２２に指を通し、回動軸１３０を中心として、第一のハサミ形成部材１１０及び第二のハサミ形成部材１２０を相互に回転させることにより、第一のハサミ形成部材１１０及び第二のハサミ形成部材１２０の各刃部１１１、１２１が相互に閉じた状態（図１に示す状態）と相互に開いた状態とを取ることができる。
【００２４】
第一のハサミ形成部材１１０の刃部１１１は平刃（直刃）として形成されている。
【００２５】
第二のハサミ形成部材１２０の刃部１２１は、第二のハサミ形成部材１２０の先端（図１の左側の端部）を含む第一刃部領域１５１と、第一刃部領域１５１以外の第二刃部領域１５２と、から構成されている。
【００２６】
図１に示すように、第二のハサミ形成部材１２０の刃部１２１の第一刃部領域１５１には、その長さ方向Ｌに開口部１４０が一定間隔で形成されている。すなわち、第二のハサミ形成部材１２０の刃部１２１の第一刃部領域１５１には、複数の開口部１４０が形成されている結果として、隣接する開口部１４０の間に櫛歯１２５が形成されている。
【００２７】
これに対して、第二のハサミ形成部材１２０の刃部１２１の第二刃部領域１５２には、平刃が形成されている。
【００２８】
本実施形態に係るハサミ１００においては、第一刃部領域１５１の長さと第二刃部領域１５２の長さとは等しく設定されている。すなわち、第一刃部領域１５１の長さ及び第二刃部領域１５２の長さはいずれも刃部１２１の長さの半分に等しい。
【００２９】
以上のような構造を有する本実施形態に係るハサミ１００は以下のような機能を奏する。
【００３０】
本実施形態に係るハサミ１００においては、第二のハサミ形成部材１２０の刃部１２１の第一刃部領域１５１は櫛歯状に形成されているため、第一刃部領域１５１に対応する第一のハサミ形成部材１１０の刃部１１１（平刃）とともに、梳きバサミとして機能する。
【００３１】
すなわち、第二のハサミ形成部材１２０の刃部１２１の第一刃部領域１５１は髪の毛の梳き（セニング）を行う際に使用することができる。
【００３２】
本実施形態に係るハサミ１００を梳きバサミとして用いる場合、通常、第一のハサミ形成部材１１０のリング１１２には薬指を、第二のハサミ形成部材１２０のリング１２２には親指を入れる。髪のカット時には、平刃の第一のハサミ形成部材１１０をほぼ静止状態に保持しておき、親指のみを反復して動かすことにより、第一のハサミ形成部材１１０及び第二のハサミ形成部材１２０の各刃部１１１、１２１を開閉させ、髪をカットする。このように、第一のハサミ形成部材１１０の刃部１１１は静止状態に保持され、さらに、第二のハサミ形成部材１２０の刃部１２１のみが動くため、第一のハサミ形成部材１１０の刃部１１１は「静刃」と、第二のハサミ形成部材１２０の刃部１２１は「動刃」と呼ばれることがある。
【００３３】
さらに、本実施形態に係るハサミ１００においては、第二のハサミ形成部材１２０の刃部１２１の第二刃部領域１５２は、第二刃部領域１５２に対応する第一のハサミ形成部材１１０の刃部１１１（平刃）とともに、理髪用ハサミ（刃が２つとも平刃のハサミ）として機能する。
【００３４】
すなわち、第二のハサミ形成部材１２０の刃部１２１の第二刃部領域１５２は髪の毛のカット及びスライス（削ぎ）を行う際に使用することができる。
【００３５】
このように、本実施形態に係るハサミ１００は、梳きバサミとして使用することができるとともに、理髪用ハサミとして使用することも可能である。
【００３６】
このため、最後の仕上げ時になって、本実施形態に係るハサミ１００における第二のハサミ形成部材１２０の刃部１２１の第一刃部領域１５１を用いて、ハサミ１００を梳きバサミとして使用していたときに、少量の髪の毛をさらにカットする必要が生じた場合であっても、第二のハサミ形成部材１２０の刃部１２１の第二刃部領域１５２を用いることにより、本実施形態に係るハサミ１００を理髪用ハサミとして用いて、髪の毛をカットすることが可能になる。
【００３７】
すなわち、従来のように、梳きバサミから理髪用ハサミに持ち替える必要はなくなり、梳きバサミから理髪用ハサミに持ち替える手間及び時間を省くことができる。
【００３８】
本実施形態に係るハサミ１００は上記の構造に限定されるものではなく、種々の改変が可能である。
【００３９】
本実施形態に係るハサミ１００においては、第一刃部領域１５１の長さと第二刃部領域１５２の長さとの比は１：１に設定されているが、両領域の長さの比は１：１には限定されない。例えば、第一刃部領域１５１の長さと第二刃部領域１５２の長さとの比を６：４あるいは７：３、または、４：６あるいは３：７に設定することも可能である。両領域の長さの比は、必要に応じて、任意に設定することが可能である。
【図面の簡単な説明】
【００４０】
【図１】本考案の第一の実施形態に係るハサミの平面図である。
【符号の説明】
【００４１】
１００  本考案の第一の実施形態に係るハサミ
１１０、１２０  ハサミ形成部材
１１１、１２１  刃部
１１２、１２２  リング
１２５  櫛歯
１３０  回動軸
１４０  開口部
１５１  第一刃部領域
１５２  第二刃部領域
【図１】
0003138280.tif 000003